【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
第一コイルと、第二コイルと、第一コアとを有し、当該第一コアには当該第一コイルと当該第二コイルとが巻かれ、当該第一コイルに流れる電流によって当該第一コアの内部に発生した磁束によって当該第二コイルに二次側電流が発生するスイッチングトランスと、
第三コイルと、第四コイルと、第二コアとを有し、当該第二コアには当該第三コイルと当該第四コイルとが巻かれ、コモンモードノイズを低減するコモンモードチョークコイルと、を有し、
前記第一コアの内部に発生する磁束の向きと前記第二コアの内部に発生する磁束の向きとが直交するように前記スイッチングトランスと前記コモンモードチョークコイルとが基板上に実装されていることを特徴とする画像形成装置。
【請求項２】
前記第一コアのコア面と前記第二コアのコア面とが直交するように、前記第一コアと前記第二コアとが配置されていることを特徴とする請求項１に記載の画像形成装置。
【請求項３】
前記第一コイルに印加される一次直流電圧をスイッチングするスイッチング素子と、
前記スイッチング素子によりスイッチングされ、前記第一コイルに印加された前記一次直流電圧に応じて前記第二コイルから出力された二次交流電圧を整流および平滑する整流平滑回路と
をさらに有し、
前記スイッチング素子、前記スイッチングトランスおよび前記整流平滑回路は直流電源を形成していることを特徴とする請求項１または２に記載の画像形成装置。
【請求項４】
前記コモンモードチョークコイルと、通信回線網に対して前記コモンモードチョークコイルを介して接続されるインターフェース回路とを有し、前記通信回線網を介して接続された通信機器とファクシミリ通信を実行するファクシミリ制御部をさらに有することを特徴とする請求項１ないし３のいずれか一項に記載の画像形成装置。
【請求項５】
前記第一コアと前記第二コアとの距離は、
前記第一コアの内部に発生する磁束の向きと前記第二コアの内部に発生する磁束の向きとが平行となるように前記第一コアと前記第二コアが配置されると、前記通信回線網に対する不要送出が所定の規制値以下とならず、
前記第一コアの内部に発生する磁束の向きと前記第二コアの内部に発生する磁束の向きとが直交するように前記第一コアと前記第二コアが配置されると、前記通信回線網に対する不要送出が前記規制値以下となる
距離であることを特徴とする請求項４に記載の画像形成装置。
【請求項６】
前記スイッチングトランスと前記コモンモードチョークコイルとが同一の基板上に実装されていることを特徴とする請求項１ないし５のいずれか一項に記載の画像形成装置。
【請求項７】
前記スイッチングトランスが第一基板上に実装され、前記コモンモードチョークコイルが前記第一基板とは異なる第二基板上に実装されていることを特徴とする請求項１ないし５のいずれか一項に記載の画像形成装置。
【請求項８】
前記第一基板の実装面と前記第二基板の実装面とがほぼ同一平面となるように前記第一基板と前記第二基板とが前記画像形成装置に固定されていることを特徴とする請求項７に記載の画像形成装置。
【請求項９】
前記第一基板と前記第二基板とが直交するように前記第一基板と前記第二基板とが前記画像形成装置に固定されていることを特徴とする請求項７に記載の画像形成装置。
【請求項１０】
前記コモンモードチョークコイルは、前記第三コイルに流れるコモンモード電流によって前記第二コアの内部に発生する磁束の向きと、前記第四コイルに流れるコモンモード電流によって前記第二コアの内部に発生する磁束の向きとが同一であることによりコモンモードノイズを低減することを特徴とする請求項１ないし９のいずれか一項に記載の画像形成装置。
【請求項１１】
第一コイルと、第二コイルと、第一コアとを有し、当該第一コアには当該第一コイルと当該第二コイルとが巻かれ、当該第一コイルに流れる電流によって当該第一コアの内部に発生した磁束によって当該第二コイルに二次側電流が発生するスイッチングトランスと、
第三コイルと、第四コイルと、第二コアとを有し、当該第二コアには当該第三コイルと当該第四コイルとが巻かれ、コモンモードノイズを低減するコモンモードチョークコイルと、を有し、
前記第一コアの内部に発生した磁束のうち当該第一コアの外部に漏洩した磁束が前記第二コアを貫くことで前記コモンモードチョークコイルに発生するノイズ電流が所定の規制値以下となるように、前記第一コアのコア面に対して前記第二コアのコア面が傾斜していることを特徴とする画像形成装置。
【請求項１２】
前記第一コアのコア面と前記第二コアのコア面とがなす傾斜角度は９０度であることを特徴とする請求項１１に記載の画像形成装置。
【請求項１３】
第一コイルと、第二コイルと、第一コアとを有し、当該第一コアには当該第一コイルと当該第二コイルとが巻かれ、当該第一コイルに流れる電流によって当該第一コアの内部に発生した磁束によって当該第二コイルに二次側電流が発生するスイッチングトランスと、
第三コイルと、第四コイルと、第二コアとを有し、当該第二コアには当該第三コイルと当該第四コイルとが巻かれ、コモンモードノイズを低減するコモンモードチョークコイルと、を有し、
前記第一コアの内部に発生した磁束のうち当該第一コアの外部に漏洩した磁束が前記第二コアを貫くことで前記コモンモードチョークコイルに発生するノイズ電流が所定の規制値以下となるように、前記第一コアと前記第二コアとが離間し、かつ、前記第一コアのコア面と前記第二コアのコア面とが傾斜していることを特徴とする画像形成装置。
【請求項１４】
商用交流電源から供給された交流電圧を直流電圧に変換する直流電源と、
コモンモードチョークコイルと、通信回線網に対して前記コモンモードチョークコイルを介して接続されるインターフェース回路とを有し、前記通信回線網を介して接続された通信機器とファクシミリ通信を実行するファクシミリ制御部と、
前記直流電源により供給された直流電圧により動作し、前記ファクシミリ制御部により受信された画像データに基づき画像を形成する画像形成部と
を有し、
前記直流電源は、
第一コイルと、第二コイルと、第一コアとを有し、当該第一コアには当該第一コイルと当該第二コイルとが巻かれ、当該第一コイルに流れる電流によって当該第一コアの内部に発生した磁束によって当該第二コイルに二次側電流が発生するスイッチングトランスと、
前記第一コイルに印加される一次直流電圧をスイッチングするスイッチング素子と、
前記スイッチング素子によりスイッチングされ、前記第一コイルに印加された前記一次直流電圧に応じて前記第二コイルから出力された二次交流電圧を整流および平滑する整流平滑回路と、を有し、
前記コモンモードチョークコイルは、第三コイルと、第四コイルと、第二コアとを有し、当該第二コアには当該第三コイルと当該第四コイルとが巻かれ、コモンモードノイズを低減するコモンモードチョークコイルであり、
前記第一コアの内部に発生する磁束の向きと前記第二コアの内部に発生する磁束の向きとが直交するように前記スイッチングトランスと前記コモンモードチョークコイルとが同一または異なる基板上に実装されていることを特徴とする画像形成装置。
【手続補正２】
【補正対象書類名】明細書
【補正対象項目名】００３５
【補正方法】変更
【補正の内容】
【００３５】
図４が示すように、スイッチングＦＥＴ４３６は一次巻線４０１に印加される一次直流電圧をスイッチングするスイッチング素子の一例である。整流回路４３８は、ＦＥＴ４３６によりスイッチングされ、一次巻線４０１に印加された一次直流電圧に応じて二次巻線４０２から出力された二次交流電圧を整流および平滑する整流平滑回路である。スイッチングＦＥＴ４３６、スイッチングトランスＴ１および整流回路４３８は直流電源２０１を形成している。直流電源２０１のようなスイッチング電源は一次側の電流がスイッチングされるため、スイッチングノイズの原因となりやすい。なお、ＤＣ−ＤＣコンバータなど、スイッチング動作を実行する回路には、本実施例を適用することで、ノイズの漏洩が抑制される。